(57)【要約】【課題】機器個々のレジスト調整を実施することなく、かつ原稿種類などによる原稿搬送タイミングズレを自動的に補正することができる画像読み取り装置を得る。【解決手段】原稿を一定速度で所定の位置に搬送する機能を有する自動原稿送り装置を搭載し、原稿の反射光を読みとるＣＣＤセンサ１とＣＣＤセンサ１で得られた画像情報を処理する画像処理部とを有する画像読み取り装置に関する。前記原稿の反射光が入射する読み取りミラーに対向する部材の色を白色以外にすることにより、前記画像処理部により得られた画像データから転写紙先端位置を検出することができる。【選択図】図１
2005269223.tif 000002
【特許請求の範囲】
【請求項１】
原稿を一定速度で所定の位置に搬送する機能を有する自動原稿送り装置を搭載し、原稿の反射光を読みとるＣＣＤセンサと前記ＣＣＤセンサで得られた画像情報を処理する画像処理部とを有する画像読み取り装置において、前記原稿の反射光が入射する読み取りミラーに対向する部材の色を白色以外にすることにより、前記画像処理部により得られた画像データから転写紙先端位置を検出することができることを特徴とする画像読み取り装置。
【請求項２】
前記原稿の先端位置情報をメモリに格納し、その保存された先端位置情報を判定／補正することにより読み取り開始位置を変更する手段とを備えていることを特徴とする請求項１に記載の画像読み取り装置。
【請求項３】
前記先端位置の検出を任意に機能させることができることを特徴とする請求項１又は請求項２に記載の画像読み取り装置。
【発明の詳細な説明】
【技術分野】
【０００１】
本発明は、デジタル複写機、スキャナー、ファクシミリ等における自動原稿送り装置を有する画像読み取り装置に関する。
【背景技術】
【０００２】
従来、原稿を一定の速度で所定の位置に搬送する自動原稿送り装置を搭載し、その自動原稿送り装置で搬送された原稿をＣＣＤデバイスなどの光学素子で読み取る画像読み取り装置が知られている。例えば、図４に示すように、原稿１１を搬送ドラム１２などでコンタクトガラス１３に一定速度で搬送する。
【０００３】
光源としての照明ランプ１６及び第１ミラー１５ａを装備した第１キャリッジ２１と第２ミラー１５ｂ及び第３ミラー１５ｃを装備した第２キャリッジ２２により原稿からの光情報を反射させ、光学レンズ１７により集光し光デバイス素子であるＣＣＤセンサ１などに投影している。
【０００４】
この時、一般的には原稿搬送経路に設置されたセンサ６によりタイミングを取り、レジストローラ２０を回転／停止させることにより、原稿１１の先端の読み取り位置を合わせている。また、機器個々のばらつきにより、このタイミングは一定ではなく画像読み取り装置の製造工程において、タイミングを合わせるレジスト調整を実施している。ばらつきの原因としては主に、センサ取り付け位置、レジストローラ位置、ＣＣＤやミラーなどの位置のばらつきが挙げられる。
【特許文献１】特開平７−１６２６０８号公報
【発明の開示】
【発明が解決しようとする課題】
【０００５】
しかしながら、製造工程において機器個々のばらつきを調整するために時間を要していると共に、市場で自動原稿送り装置などを増設した場合には、増設時に調整作業が必要になる。
【０００６】
また、原稿の厚み、種類や両面自動原稿送り装置においては表面／裏面の搬送経路の違い違いにより、原稿搬送タイミングがズレるために、結果的に画像でのレジストズレが発生する危険性がある。
【０００７】
また、従来、レジスト調整をする画像読み取り装置として、特開平７−１６２６０８号公報に記載された技術が知られている。この画像読み取り装置は、原稿をコンタクトガラス上に固定するとともに光源を移動して原稿をスキャン（読み取る）するタイプ、即ち、コンタクトガラス上に直接原稿を置いて読みとるものに対するレジスト調整であり、自動原稿送り装置に適用できるものではなかった。
【０００８】
そこで、本発明は、機器個々のレジスト調整を実施することなく、かつ原稿種類などによる原稿搬送タイミングズレを自動的に補正することができる画像読み取り装置を提供することを目的とする。
【課題を解決するための手段】
【０００９】
請求項１に記載の発明は、原稿を一定速度で所定の位置に搬送する機能を有する自動原稿送り装置を搭載し、原稿の反射光を読みとるＣＣＤセンサと前記ＣＣＤセンサで得られた画像情報を処理する画像処理部とを有する画像読み取り装置において、前記原稿の反射光が入射する読み取りミラーに対向する部材の色を白色以外にすることにより、前記画像処理部により得られた画像データから転写紙先端位置を検出することができることを特徴とする画像読み取り装置である。
【００１０】
この構成では、原稿読み取り用ミラーに対向する部材を白色以外の色にし、自動原稿送り装置により原稿が所定の位置に搬送された場合とそうでない場合とを、ＣＣＤセンサからの画像出力により認識することにより、原稿先端位置を検知する。
【００１１】
請求項２に記載の発明は、前記原稿の先端位置情報をメモリに格納し、その保存された先端位置情報を判定／補正することにより読み取り開始位置を変更する手段とを備えていることを特徴とする請求項１に記載の画像読み取り装置である。
【００１２】
この構成では、請求項１で検知した原稿先端位置情報をメモリに格納し、そのデータの判定／補正を行い、読み取り開始位置を変更することにより、読み取り画像データのレジスト位置を正確に合わせることができる。
【００１３】
請求項３に記載の発明は、前記先端位置の検出を任意に機能させることができることを特徴とする請求項１又は請求項２に記載の画像読み取り装置である。
【００１４】
この構成では、画像補正及び補正条件を任意に機能させることにより、ユーザーの原稿使用状況に合わせた機能を提供することができる。
【発明の効果】
【００１５】
請求項１に記載の発明によれば、機器個々のレジストばらつき、及び原稿種類によるレジストばらつきを製品自身が検出することが可能となる。
【００１６】
請求項２に記載の発明によれば、請求項１で算出したレジストデータにより画像データを補正するため、製造工程における調整作業の簡略化、市場での自動原稿送り装置設置時の調整作業を簡略化できると共に、原稿種類によるレジストばらつきを低減し、安定した画像を得ることができる。
【００１７】
請求項３に記載の発明によれば、先端位置の検出を任意に機能させることができるので、ユーザの使用環境に適した条件を設定することが可能となる。
【発明を実施するための最良の形態】
【００１８】
以下、本発明の実施の形態を図面を参照して説明する。図１は本発明に係る一実施形態の画像読み取り装置に備える画像処理回路ブロック図、図２は図１の画像処理回路に備えるメモリ／レジスト算出手段のレジスト算出フローを示すフローチャート、図３は図１の画像処理回路のＣＣＤセンサ出力を示す図である。
【００１９】
図１において、符号１はＣＣＤセンサ、符号２はアンプ回路、符号３はＡ／Ｄ変換器、符号４は画素メモリをそれぞれ示し、ＣＣＤセンサ１からの画像読み取り信号は、アンプ回路２で所定の信号レベルまで増幅される。この増幅された信号はＡ／Ｄ変換器３でデジタル信号に変換される。変換されたデジタル信号は画素メモリ４に画素の位置として記憶される。また、図１において、符号５はシフト補正／マスキング補正手段、符号６はセンサ、符号７は原稿先端検知手段、符号８はメモリ／レジスト算出手段である。
【００２０】
画像読み取り装置の機構を図４により説明する。図４に示すように、原稿１１は搬送ドラム１２により、一定速度でコンタクトガラス１３に搬送される。原稿１１の搬送経路に設置されたセンサ６を通過する際に、図３に示すようにセンサ６の出力がＯＮする。
【００２１】
一方、光源としての照明ランプ１６及び第１ミラー１５ａを装備した第１キャリッジ２１と第２ミラー１５ｂ及び第３ミラー１５ｃを装備した第２キャリッジ２２により原稿１１からの光情報を反射させ、光学レンズ１７により集光し光デバイス素子であるＣＣＤセンサ１などに投影している。
【００２２】
第１ミラー１５ａに対向した読み取りガイド板１４は白以外の色となっている。即ち、読み取りガイド板１４は、黒色、茶色、ダークグレー、濃紺、青色、緑等の濃度の濃い色が好ましい。また、原稿がコンタクトガラス１３上に到達したときにＣＣＤセンサ１の出力電圧の変化を検知できれば、白以外の淡色系であってもよい。
【００２３】
第１ミラー１５ａに対向した読み取りガイド板１４は白以外の色となっているため、原稿１１がコンタクトガラス１３上に到達していないときにはＣＣＤセンサ１の出力はハーフトーンまたは黒出力となっている。一般的に原稿の端部は白または薄い濃度であるため、コンタクトガラス１３上に原稿１１が到達した時に、図３に示すように、ＣＣＤセンサ１の出力電圧が変化する。
【００２４】
図３に示すように、センサ６がＯＮしてからＣＣＤ出力が変化するまでの時間Ｔを、図１に示す原稿先端検知手段７にて算出し、そのデータをメモリー／演算回路手段としてのメモリ／レジスト算出手段８に格納する（図２のステップＳ１参照）。
【００２５】
図２において、ステップＳ２〜Ｓ５までの処理を図１に示したメモリー／レジスト算出手段８が行う。図２のフローチャート中の「レジストｓｕｍ」とは、ｎ回数原稿先端検知位置を合計した値のことである。即ち、「レジストｓｕｍ」とは、原稿先端検知データ（センサがＯＮしてからＣＣＤ出力が変化するまでの時間Ｔ）の合計のことである。なお、図２中、ｎは読み取り回数のことである。原稿先端検知位置とは図３のセンサＯＮから原稿データまでの時間Ｔのことである。
【００２６】
メモリ／レジスト算出手段８はレジスト設定値（レジストを補正するための値）を求めるためのものである。メモリ／レジスト算出手段８にはレジスト設定値データ、レジスト上下限設定値、補正データ回数などの設定値が入力されている。レジスト設定値データは過去ｎ数回の原稿先端検知データの平均値がメモリされている。レジスト上下限設定値は、原稿１１が写真原稿など端部に黒がある場合に使用する設定値であり、レジスト設定値データからレジスト上下限設定値以上にずれていた場合は補正を行わずに、レジスト設定値データをレジスト値として使用する。補正データ回数はレジスト設定値データを書き換える周期を示す（図２参照）。
【００２７】
図２のフローのステップＳ２でレジスト上下限値の範囲を超えたときには以下の処理を行わず、次のシフト補正／マスキング補正手段５による画像処理ルーチンに進む。
【００２８】
図２のフローのステップＳ２で、原稿先端検知とレジスト設定値との差がレジスト上下限値の範囲内のときにはステップＳ３に進む。ステップＳ３では、レジストｓｕｍにレジスト先端検知位置を加えていく。ステップＳ４では、補正データ回数がｎ以下のときには、シフト補正／マスキング補正手段５によりシフト補正及び／又はマスキング補正を行う。
【００２９】
ステップＳ５では、レジストｓｕｍをｎで割って平均を求めレジスト設定値とするとともに、レジストｓｕｍ及びｎをリセットする。
【００３０】
以上のように、予め設定されたレジスト設定値（目標値）がメモリ８に格納されている。この目標値と現在の装置の状態がずれていないかどうかを確認しようとしていている。使用状態により目標値と現在の原稿先端検知位置との差が０でなくなってきたときに、この差の合計をｎ数回繰り返し平均化し、平均化した値を新しいレジスト設定値として入力する。即ち、ずれを考慮してレジスト設定値を更新していく。
【００３１】
レジスト上下限設定値とは、異常な値が入ったときに合計（レジストｓｕｍ）に加えないでノイズとして除去するためのものである。即ち、レジスト設定値と原稿先端位置とが大きくかけ離れているときには補正値として使わないようにしている。そのための範囲を示すのがレジスト上下限設定値である。
【００３２】
これらのような手段で算出されたレジスト設定データをもとに、シフト補正／マスキング補正手段５にて画像データから不要なデータを削除（シフト）、またはマスキング処理する。
【００３３】
なお、本発明は上記実施形態に限定されるものではない。例えば、本実施形態では原稿先端検知位置として時間を用いたが、時間の代わりに距離等を用いてもよい。即ち、本発明の骨子を逸脱しない範囲で種々変形して実施することができる。
【図面の簡単な説明】
【００３４】
【図１】本発明に係る一実施形態の画像読み取り装置に備える画像処理回路ブロック図である。
【図２】図１の画像処理回路に備えるメモリ／レジスト算出手段のレジスト算出フローを示すフローチャートである。
【図３】図１の画像処理回路のＣＣＤセンサ出力を示す図である。
【図４】画像読み取り装置の概略構成を示す図である。
【符号の説明】
【００３５】
１    ＣＣＤセンサ
２    アンプ
３    Ａ／Ｄ変換器
４    画素メモリ
５    シフト補正／マスキング補正手段
６    センサ
７    原稿先端検知手段
８    メモリ／レジスト算出手段
１１    原稿
１４    読み取りガイド板
１５ａ    第１ミラー
【図１】
2005269223.tif 000003
【図２】
2005269223.tif 000004
【図３】
2005269223.tif 000005
【図４】
2005269223.tif 000006